(57)【特許請求の範囲】
【請求項１】
窪みの略中心に打設されたロックボルトアンカーにより地表を這うロープに張力を付与し、該ロープによって斜面の地表に配置された複数の支圧板を押さえて表層の緩みを抑制するようにしている地すべり防護工において、
支圧板はリング状プレートであり、該リング状プレートの略中心部位の地山に形成した略逆円錐状窪みの下部に打たれたロックボルトアンカーの頂部にはローラ支持金具が固定され、該ローラ支持金具にはロックボルトアンカーの周囲で略１２０度間隔となる３つの転回用ローラが、その軸を略逆円錐面の略法線方向となるように配置して支承され、
三角形の頂点に相当する位置の各リング状プレート内方の前記３つの転回用ローラのうち該三角形内で対向する位置にある各一つの転回用ローラに巻回された一本のロープが三角形状に配置され、ロープ両端を二つのリング状プレートの中間位置の地表においてターンバックルにより連結し、一本のロープにより前記リング状プレートそれぞれの対向位置にある略三分の一の領域を占める部分を押さえる三角形ループが形成され、
前記ターンバックルが存在しない辺には、湾曲度が弾性的に変化してロープ張力を回復させるため常時湾曲度を増す方向に弾発力を発生する張力保持具が、ロープの固縛部を伴って介在され、
前記三角形ループとその頂点のいずれかに配置のリング状プレートとを一ユニットとして、地山表面に多数配置されたユニットが隣接ユニットと協働してリング状プレートを共押しするように敷設されていることを特徴とする地すべり防護工。
【請求項２】
前記張力保持具は鋼棒であり、前記固縛部は鋼棒に蔓巻きさせたロープを係止すべく鋼棒端部を曲げて形成したフックであることを特徴とする請求項１に記載された地すべり防護工。
【請求項３】
前記張力保持具は平鋼板であり、前記固縛部は該平鋼板に沿わせたロープを押圧するＵボルトであることを特徴とする請求項１に記載された地すべり防護工。
【請求項４】
前記支圧板は六分割リング片によりリング状プレートが形成され、リング片相互が連結され、前記各略三分の一領域部分を形成して隣りあうリング片のそれぞれが、前記転回用ローラに巻回されてから地表に現れるロープによって押さえられていることを特徴とする請求項１ないし請求項３のいずれか一項に記載された地すべり防護工。
【請求項５】
窪みの略中心に打設されたロックボルトアンカーにより地表を這うロープに張力を付与し、該ロープによって斜面の地表に配置された複数の支圧板を押さえて表層の緩みを抑制するようにしている地すべり防護工において、
支圧板はリング状プレートであり、該リング状プレートの略中心部位の地山に形成した略逆円錐状窪みの下部に打たれたロックボルトアンカーの頂部にはローラ支持金具が固定され、該ローラ支持金具にはロックボルトアンカーの周囲で略１２０度間隔となる３つの転回用ローラが、その軸を略逆円錐面の略法線方向となるように配置して支承され、
三角形の頂点に相当する位置の各リング状プレート内方の前記３つの転回用ローラのうち該三角形内で対向する位置にある各一つの転回用ローラに巻回された一本のロープが三角形状に配置され、ロープ両端を二つのリング状プレートの中間位置の地表においてターンバックルにより連結し、一本のロープにより前記リング状プレートそれぞれの対向位置にある略三分の一の領域を占める部分を押さえる三角形ループが形成され、
前記三角形ループとその頂点のいずれかに配置のリング状プレートとを一ユニットとして、地山表面に多数配置されたユニットが隣接ユニットと協働してリング状プレートを共押しするように敷設されていることを特徴とする地すべり防護工。
【発明の詳細な説明】
【技術分野】
【０００１】
本発明は地すべり防護工に係り、詳しくは、地表を這うロープに張力を付与し、該ロープによって斜面の地表に配置された複数の支圧板を押さえて表層の緩みやすべりを抑制するようにした防護工に関するものである。
【背景技術】
【０００２】
傾斜地が崩壊するのを防止するため、地山表面から凹んだ窪みの略中心に打設されたロックボルトアンカーにより地表を這うロープに緊張を与え、そのロープによって地肌面に押圧力を作用させるようにした山肌面の安定化工法がある。これは、例えば特開平１１−３３６０８２号公報に記載されている。この工法によれば、立ち木を避けてロープを張ることができる利点はあるが、ロープの交差部が地表より凹んだ箇所にあるとはいえ、地肌が風化するなどするとロープの張りが低下することは否めない。とりわけ、ロープが凹みから出る窪みの肩部ではロープの押圧による浸食が激しく、緊張力の回復作業は容易でない。
【０００３】
ロープのみによる地山押圧には限界のあることは言うまでもないため、例えば特開２００２−１８０４７２においては、ロックボルトアンカーを傾斜地に打設する際に円盤状の支圧板を地表に配置することが、提案されている。その支圧板による山肌の押圧力は、支圧板を頂面とした俯角４５度円錐台形状に地中へ拡散伝播するので、その押圧面積の拡大が図られる。なお、支圧板の下には表層に押し込まれる放射状の羽根があるとともに、支圧板が縦横に敷設されたロープによって横ずれも拘束され、斜面安定装置としての耐用性が高くなると期待される。これに類した例が特開平９−１１１７６１号公報にも開示されている。
【０００４】
ロープは地山押圧作用を発揮しないが支圧板の相互連繋を強める結果、すなわち山肌がすべり始めたときには、すべりのない箇所の支圧板がすべりのある箇所の支圧板の動きを抑制して、表層崩壊を遅らせる効果が発揮される。しかし、あくまでもすべりが生じる時点でのすべり域拡大を抑制するものであり、すべりの発生していない時点での支圧板による山肌の押圧力は本来的には期待することができない。と言うのは、支圧板を連結するだけであるロープは地表方向の張力が与えられるものの、地表より下に位置する部位がないから地表を押圧する力はほとんど発揮されない。支圧板が地表にあるゆえ、ロープは支圧板と同一レベルの山肌表面に敷設されることになるからである。
【０００５】
支圧板を使用しつつもロープを窪みの底部分で拘束することにより、ロープに発生する地表に向けた押圧力によって支圧板を地表に押圧しておくことができるようにした例が特開２００８−１０６４３２に開示されている。これは、図１５の（ａ）に示すように、支圧板２１をカップ状にしておき、そのカップの内方の窪みの中央にロックボルトアンカー２を配してそのカップ固定部を地表より低くしておく。図１５の（ｂ）のごとく、縦横に敷設されるロープ３を窪み底でアンカーに固定し、カップ状支圧板を窪みの肩部などが覆われるように配置する。窪み底から肩部を経て地表に出るロープ３は支圧板を地表に押圧することは言うまでもない。
【０００６】
支圧板はカップ状といえども工域において図１５の（ｃ）のように配置された状態で、地山への押圧力の伝播は図１６に示すようにカップの外周縁から地表に対して約４５度の角度内領域２２で拡散する。それゆえ、支圧板としての作用は非カップ状の円盤と実質的に変わりがない。ロープはカップ底でロックボルトアンカーに固定されたカラー２３や座板２４等に係止させるだけでよいので、ロープを任意の方向に敷設することができる利点があって、工事の短縮化にも大いに寄与する。
【０００７】
このカップ状の支圧板それ自体は画期的なものであるが、問題は山肌に対して支圧板から押圧力を発生させるロープの懸架形態を如何なるものとするかにより、ロープ張力を大きく与えることができるか、縦横に敷設されるロープの懸架部位における相互干渉を少なくすることができるかに差の生じることは否めない。先の例では、懸架状態を安定なものとするためにはロープを敷設領域の端から端まで張設しなければならない。これはロープの長大性が依然として要求されることを意味し、加えて、交差により矩形を形成させるべくロープを縦横に配置するだけでなく図５の（ｃ）のように矩形の対角線をなす方向へもロープを配置する場合には、ロープが交錯して工事の手順を大層複雑化させる。最もの難題はロープ同士の干渉を如何に少なくすることができるかである。
【０００８】
例えば特開２００１−４９６７３には、ロープを三角形に這わせて短小化を図った例が記載されている。これは支圧板を例えば正三角形の頂点の位置に配置し、略中心にロープ巻回筒を設けてロープを三つの巻回筒に掛け回すようにしている。この場合、一つの三角形組のうちの二つの支圧板と隣の組の三角形の頂点の位置にある支圧板とにロープを巻回していけば、三角形をなすロープが網目状に張設される。したがって、三つの支圧板と一本の三角形状ロープからなるユニットを次々と配置することで所定の工域を覆うことができる。ちなみに、個々のユニットにおけるロープは、その両端を繋いで張力を発生させることができるようにターンバックルが介装される。
【０００９】
しかし、この説明から分かるように三つのうちの二つの支圧板は、一つの三角形ユニットと隣のユニットに共用される。ということは、二つの支圧板間にはロープが一本掛けられるだけで済む場合と、二本掛けられなければならない場合とが生じる。一つの巻回筒に向きが違って延びるロープが掛けられることになると、ロープ相互の部分接触は避けられず、ターンバックルにおける張力付与作業に支障をきたす。言うまでもなく、二本が掛けられる部分のロープは過剰使用ともなる。なお、この例においても、ロープは支圧板の上面で巻回されるから、ロープに付与することができる張力は、窪み底から這い出るロープのように高いものにはならない欠点も解消し得ない。
【先行技術文献】
【特許文献】
【００１０】
【特許文献１】特開平１１−３３６０８２号公報
【特許文献２】特開２００２−１８０４７２
【特許文献３】特開平９−１１１７６１号公報
【特許文献４】特開２００８−１０６４３２
【特許文献５】特開２００１−４９６７３
【発明の概要】
【発明が解決しようとする課題】
【００１１】
本発明は上記した問題に鑑みなされたもので、その目的は、地山表面から凹んだ窪みを利用してロープに地肌を押圧させる張力を作用させることができること、支圧板の軽量化が図られること、支圧板には短小化されたロープの巻回を可能にするとともに支圧板間でのロープの重畳敷設を回避しさらにロープ相互の接触を排除できること、付与した張力の維持と支圧板の安定が図られるようにすること、山肌が風化するなどしてロープの張力が変化したり、小さな地すべりにより支圧板の位置ずれがあってもロープを緊張させたままロープのずれを許容できるようにしておくこと、ロープ張力が低下する事態が生じても、そのロープの緊張を回復させることができるようにして、地すべり発生前における地山の押圧を維持しておくことができるようにすること、を実現した地すべり防護工を提供することである。
【課題を解決するための手段】
【００１２】
本発明は、窪みの略中心に打設されたロックボルトアンカーにより地表を這うロープに張力を付与し、そのロープにより斜面の地表に配置された複数の支圧板を押さえて表層の緩みを抑制するようにしている地すべり防護工に適用される。その特徴とするところは、図１および図２を参照して、支圧板はリング状プレート４であり、そのリング状プレートの略中心部位の地山に形成した略逆円錐状窪み５の下部に打たれたロックボルトアンカー２の頂部にはローラ支持金具７が固定され、そのローラ支持金具にはロックボルトアンカー２の周囲で略１２０度間隔となる３つの転回用ローラ６が、その軸６ａを略逆円錐面５ａの略法線５ｃの方向となるように配置して支承される。三角形の頂点に相当する位置の各リング状プレート内方の３つの転回用ローラのうちその三角形内で対向する位置にある各一つの転回用ローラ６Ａ（図５の（ａ）を参照）に巻回された一本のロープ３が三角形状に配置される。ロープ両端を二つのリング状プレート４の中間位置の地表でターンバックル８により連結し、一本のロープ３によりリング状プレートそれぞれの対向位置にある略三分の一の領域Ｓ（図５の（ｂ）を参照）を占める部分を押さえる三角形ループを形成する。ターンバックル８が存在しない辺には、湾曲度が弾性的に変化してロープ張力を回復させるため常時湾曲度を増す方向に弾発力を発生する張力保持具９が、ロープの固縛部９ａを伴って介在される。そして、三角形ループとその頂点のいずれかに配置のリング状プレート４とを一ユニット１０とし、地山表面に多数配置されたユニットが隣接ユニットと協働してリング状プレートを共押しするように敷設されていることである。
【００１３】
張力保持具は例えば図６に示す鋼棒９Ａであり、固縛部９ａは鋼棒に蔓巻きさせたロープ３を係止すべく鋼棒端部を曲げて形成したフックとしておけばよい。また、張力保持具を図１１のように平鋼板９Ｃとしてもよく、固縛部はその平鋼板に載せたロープ３を押圧するＵボルト１５としておく。
【００１４】
支圧板を図１３に示す六分割リング片４ｃからなるリング状プレート４Ｓとする。この場合、リング片相互が連結され、各略三分の一領域部分を形成して隣りあうリング片４ｃのそれぞれが、転回用ローラ６に巻回されてから地表に現れるロープ３によって押さえられる。
【００１５】
図５の（ｂ）に示すように、支圧板はリング状プレート４、ロックボルトアンカー２の頂部に固定されるローラ支持金具７、略１２０度間隔となる３つの転回用ローラ６、三角形状に配置されるロープ３、ロープ両端を連結するターンバックル８を備え、一本のロープ３によりリング状プレートそれぞれの対向位置にある略三分の一の領域を占める部分を押さえる三角形ループが形成され、三角形ループとその頂点のいずれかに配置のリング状プレート４とを一ユニット１０Ａとして、地山表面に多数配置されたユニットが隣接ユニットと協働してリング状プレート４を共押しするように敷設されるようにすることもできる。
【発明の効果】
【００１６】
本発明によれば、支圧板はリング状プレートであるから円盤状支圧板やカップ状支圧板に比べれば飛躍的に軽量化が図られるとともに、その内方の略中心部位の表層に窪みを形成することができることによりロープを窪み底から這わせて、リング状プレートによる地山押圧機能をロープ張力によって向上させることができる。
【００１７】
リング状プレートの略中心部位の地山に形成した略逆円錐状窪みの下部に打たれたロックボルトアンカーの頂部にはローラ支持金具が固定され、そのローラ支持金具にはロックボルトアンカーの周囲で略１２０度間隔となる３つの転回用ローラが、その軸を略逆円錐面の略法線方向となるように配置して支承されているので、各転回用ローラにおいては張力減衰がなく摩擦軽減の図られたロープ巻回が実現され、ロープへの張力付与操作が軽減される。転回用ローラが略１２０度間隔で配置されるから、各ローラがローラを牽引する程度に差があっても、他のローラに巻回されるロープがリング状プレートの押圧作用を補完することができ、安定した地山押さえ作用を発揮させることができる。
【００１８】
三角形の頂点に相当する位置の各リング状プレート内方の３つの転回用ローラのうちその三角形内で対向する位置にある各一つの転回用ローラに一本のロープを巻回させて最短経路をたどるようにロープを三角形状に配置したので、ロープの短小化が可能となり、ターンバックルによる張力付与が極めて容易かつ所定値を与えやすくなる。
【００１９】
ロープ両端を二つのリング状プレートの中間位置の地表においてターンバックルにより連結し、一本のロープによりリング状プレートそれぞれの対向位置にある略三分の一の領域を占める部分を押さえる三角形ループが形成されるようにしているので、ロープがリング状プレート間で重畳することがなく、ロープの過剰使用も回避される。
【００２０】
ターンバックルが存在しない辺に、湾曲度が弾性的に変化してロープ張力を回復させるため常時湾曲度を増す方向に弾発力を発生する張力保持具を介在させておくので、表層が風化して山肌が痩せてきても、それによって生じるロープの緩みは張力保持具によって吸収される。ロープの緊張が保たれることで、地すべりが発生する以前の段階における地山の押圧状態を保つことができる。地すべりが発生し始めたとしても、ロープは緊張を保っているから地すべりが抑制され、ロックボルトアンカーが地山に保持されているかぎり、表層の崩れも可及的に少なくなる。
【００２１】
三角形ループとその頂点のいずれかに配置のリング状プレートとを一ユニットとして、地山表面に多数配置されたユニットが隣接ユニットと協働してリング状プレートを共押しするように敷設されるので、局部的な地すべりがあっても隣接ユニットがすべり阻止作用を補完する。
【００２２】
張力保持具は鋼棒としておき、鋼棒に蔓巻きさせたロープを係止すべく鋼棒端部を曲げて形成したフックをロープの固縛部としておけば、ロープは鋼棒から離反することなく、フックで蔓巻き状態を維持しておくことができるから、張力保持具としての機能が低下することもない。鋼棒への巻きつけは短いロープを捻るだけで済むから、工域を覆う長大なロープを扱う場合とは比較にならない労力の軽減が図られる。
【００２３】
張力保持具は平鋼板としておき、固縛部をその平鋼板に沿わせたロープを押圧するＵボルトとしておけば、ロープを平鋼板に沿わせた状態でのＵボルト掛けとなるから、平鋼板への固定は簡単となる。
【００２４】
支圧板は六分割リング片よりなるリング状プレートとしておき、リング片相互が連結され、各略六分の一領域部分を形成して隣りあうリング片のそれぞれが、転回用ローラに巻回されてから地表に現れるロープによって押さえられるようになっていると、一つのリング状プレートおいて部分的な風化の違いがあっても、略六分の一領域の単位で張力の自然調整がなされることになる。リング状プレートの支圧板としての機能は表層に対してきめ細かく挙動するから、リング片ごとに押圧力が大きくばらつくといったことも可及的に少なくなる。
【００２５】
請求項５の発明によれば、張力保持具による作用はないにしても、それ以外の請求項１により得られる効果は発揮される。これによって、地すべりが起こり始めたときの表層崩れに対してロープがリング状プレートを連繋させたままとなる結果、突然の総崩れ的な地すべりは遅らせることができるようになる。
【図面の簡単な説明】
【００２６】
【図１】本発明に係る地すべり防護工における三角形配置のリング状プレートとそのロープによる連繋を示した斜視図。
【図２】リング状プレートやローラ支持金具の構成説明図。
【図３】地すべり防護工の敷設平面図。
【図４】リング状プレートとローラ支持金具の地山設置図。
【図５】三角形ループの構成と押圧分担説明図。
【図６】張力保持具としての鋼棒を使用したときの挙動説明図。
【図７】三角形ループを分離して描いた地すべり防護工の平面図。
【図８】三角形ループの形成手順例説明図。
【図９】風化等により表層が痩せたときの地すべり防護工の挙動説明図。
【図１０】波形鋼棒による態様図。
【図１１】弓形平鋼板とそれに沿わされたロープの伸び変化の説明図。
【図１２】弓形平鋼板の一例の平面図、底面図および３つの平鋼板で本体を形成させた状態の波形平鋼板の構成例。
【図１３】六分割リング片を持ったリング状プレートとその挙動図。
【図１４】六分割リング片を持ったリング状プレートの一部破断を含む斜視図。
【図１５】カップ状支圧板が使用された先行技術例。
【図１６】カップ状支圧板を配置した斜面における断面図。
【発明を実施するための形態】
【００２７】
以下に、本発明に係る地すべり防護工を、その実施の形態を表した図面に基づいて詳細に説明する。図３は、ロックボルトアンカー２により地表を這うロープ３に緊張を与え、そのロープによって斜面の地表に配置された複数の支圧板４を押さえ、表層の緩みを抑制するようにした地すべり防護工１の全体図である。なお、そのロックボルトアンカー２は図４に示すように地山表面を凹ませた窪み５の略中心に打設されており、所定の張力が付与される緊張維持材としてのロープ３は窪み底に設置される転回用ローラ６に掛けられ、後述するが、図１の中央に示すような三角形状をなす短小化されたものとなっている。
【００２８】
この地すべり防護工において主たる構成をなすものは、図１および図２を参照して、支圧板をなすリング状プレート４と、ロックボルトアンカー２の頂部に固定されるローラ支持金具７と、そのローラ支持金具に取りつけられる転回用ローラ６と、三角形内で対向する位置にある転回用ローラに巻回されるロープ３と、ロープ両端を連結するとともに張力を付与するターンバックル８と、ロープ張力を回復させるためロープの中間で常時湾曲度を増す方向に弾発力を発生する張力保持具９とである。そして、三角形の頂点に配置されたリング状プレート４と三角形状敷設のロープ３とで一つのユニット１０を形成し、隣接ユニットと協働して共通する位置にあるリング状プレートを共押しすることができるようにしている。
【００２９】
個々に詳しく述べる。支圧板は図２の（ａ）や図４から把握されるようなリング状プレート４である。そのリング状プレートの略中心部位の地山に形成した略逆円錐状窪み５の下部に打たれたロックボルトアンカー２の頂部には、図２の（ｂ）に示すローラ支持金具７が固定され、そのローラ支持金具にはロックボルトアンカー２の周囲で略１２０度間隔となる３つの転回用ローラ６が、図２の（ｃ）に示すように、その軸６ａを窪みをなす略逆円錐面５ａの略法線５ｃの方向となるように配置して支承される。このように、支圧板を中抜き円板としているから、背景技術の項で触れたいずれの支圧板の円盤よりも軽量化し、足場の悪い山中での運搬労力の大幅な軽減が図られる。言うまでもなく鋼材消費量も少なくなる。なお、リング状プレート４の外周縁と内周縁は地山側に曲げられ、外周縁４ａはスパイクとして機能し、内周縁４ｂは窪み５の肩部５ｂを保護する。
【００３０】
図５の（ａ）のように、三角形の頂点に相当する位置の各リング状プレート内方の３つの転回用ローラ６のうち、その三角形内で対向する位置にある各一つの転回用ローラ６Ａに巻回されて最短経路をたどる一本のロープ３が、三角形状に配置される。ロープ両端は二つのリング状プレート４の中間位置の地表においてターンバックル８により連結され、一本のロープ３によりリング状プレートそれぞれの対向位置にある略三分の一の領域（図５の（ｂ）中の一つのリング状プレート４に影を施した領域Ｓ、点を付した領域Ｔ、縦線を与えた領域Ｕのうちの領域Ｓを参照）を占める部分を押さえる三角形ループが形成される。
【００３１】
図５の（ａ）において、ターンバックル８が存在しない辺には、湾曲度が弾性的に変化してロープ張力を回復させるため、常時湾曲度を増す方向に弾発力を発生する張力保持具９が介在される。これは、弦長を常時縮小する方向に弾発力を発生する弓形に曲げられたもので、これに沿わせたロープ３の離反を阻止する固縛部９ａが両端に形成されている。この例ではロープ３の中間部が巻きつけられ、そのロープ３の外れを防止するためのフックが固縛部として設けられている。この張力保持具９は図６の（ａ）に示したような一本の鋼棒９Ａであり、フックは鋼棒に蔓巻きさせたロープ３を係止すべく鋼棒端部を曲げて形成されている。
【００３２】
この張力保持具９の挙動は後で詳しく述べるが、それとターンバックル８と一つのリング状プレート４と三角形状敷設のロープ３とで一ユニット１０が構成され、図５の（ａ）のような三角形ループが形成される。実際は図３のごとく工域に敷設されるが、この一ユニットを目視しやすくすると、仮想図である図７のように各ユニット１０が独立して順次配置されることになる。なお、工域の周辺の幾つかの部位にあっては、二点鎖線で示したユニットのように、リング状プレート４を２つ含んだものとしておけばよい。ちなみに、図３および図７には表されていないが、周縁に意匠登録第１３８３８１１号の荷重支持装置を配置するなどして、地すべり防護工全体の固定の完全を期せばよい。
【００３３】
図２（ａ）に示すように、略逆円錐状窪みの中心部に打たれたロックボルトアンカー２の頂部にはローラ支持金具７が固定され、そのローラ支持金具にはロックボルトアンカー２の周囲で略１２０度間隔となる３つの転回用ローラ６が支承されるので、各転回用ローラにおいては張力減衰が極めて少なく、摩擦軽減の図られたロープ巻回が実現される。ロープ３への張力付与操作が負担の少ないものとなりかつ所定張力の維持性能も向上する。転回用ローラ６が略１２０度間隔で配置されるから、各ローラがロープ３を牽引する程度に差が生じたとしても、他のローラに巻回されるロープ３がリング状プレートの押圧作用を補完することができ、安定した地山押さえ作用が発揮される。
【００３４】
そして、上記したが、地すべり防護工１ではこのユニット１０を順次隣のユニットのリング状プレート４と連繋させることにより、すなわち図７の配置をもとにして図３のように工域内の連結が行われる。地山表面に多数配置されたユニットが隣接ユニットと協働してリング状プレート４を共押しするように敷設していくことができるからである。地形に合わせた三角形をその都度与えるとともに、隣接ユニットとの角度調整を図ることが容易であり、その敷設は柔軟性に富んだものとなる。
【００３５】
このような構成の地すべり防護工では、リング状プレート４が背景技術の項で述べた円盤状支圧板やカップ状支圧板に比べて飛躍的に軽量化を進める。それとともに、その内方の略中心部位での窪み５の形成により、ロープ３を窪み底から這わせてリング状プレート４による地山押圧機能をロープ張力によって向上させることができる。その押圧効果は円盤を超え、カップ状支圧板並みに発揮させることができるようになる。
【００３６】
図４を参照して、まず、工域に配置されるリング状プレート４に対応した位置で地山を掘り、所定数の窪み５を作る。その中心にすべり層を貫通して安定層に届くロックボルトアンカー２が打設され、セメントペーストやモルタルを注入して固定される。このアンカーの頂部とはいえ窪み底の部分に３枚の花びらを持ったような形のローラ支持金具７を嵌め、ロックナット１１などにより固定する。これは図２の（ｄ）に示すローラ支持用上側プレート７ａとローラ支持用下側プレート７ｂおよび転回用ローラ６からなるが、ローラ支持用上側プレートとローラ支持用下側プレートとは略相似形であって、前者は後者よりやや小さな寸法とされている（図２の（ｂ）も参照）。転回用ローラ６は対向する各花びら片の間に支持され、図２の（ｃ）から把握される窪みが形成する略逆円錐面５ａに対して略法線５ｃの方向へ延びる軸６ａで支持され、ロープ３を円滑に引っ張り方向にずらせることができるように遊転可能となっている。
【００３７】
このローラ支持金具７は予め組み立てられているから、ロックボルトアンカー２に極めて簡単に取りつけられる。そして、図４のごとく、窪み５の肩部５ｂやその外周に拡がるようにリング状プレート４が配置される。ロープ３を各転回用ローラ６に巻回するが、その要領は図８の（ａ）のように一つのリング状プレート４Ａにおけるローラ支持金具７にロープ３を通し、それぞれの側に張力保持具９を絡める。図８（ｂ）のように残りのリング状プレート４Ｂ，４Ｃにおけるローラ支持金具７にロープ３を通す。このようにして、ロープ三角形の二辺に相当する部位には張力保持具９が介装される。最後に、ロープ端がターンバックル８で連結され、図５の（ａ）のような状態となる。
【００３８】
ターンバックル８を強く回転させてロープ３を手繰り寄せ、張力を付与する。ロープ３は転回用ローラ６で円滑に動き、他のロープ３と接触することもないから摩擦が増えることなく、ターンバックルによる締めあげ操作は負担の少ないものとなる。張力保持具９の鋼棒９Ａは引っ張られて、その湾曲度を減らして弦長を大きくする。自由状態では湾曲度が強いから、湾曲度の減らされた鋼棒はロープ３に作用する張力と釣り合うべく復元のための弾発力を発生させる。これによって三角形状ロープに緊張が徐々に加えられる。ロープ３に作用する張力は鋼棒の弦長の長さ変化からも知ることができるので、傍らの作業者も張力の多少を知りながら補助することができる。
【００３９】
リング状プレート４を共用するようにして三角形状のユニット１０が次々と敷設されると、図３のごとく工域に地すべり防護工１が拡がる。三つのリング状プレート４に着目すると図１のようになり、一つのリング状プレート４には三角形状ロープ３Ａ，３Ｂ，３Ｃが懸架されることになる。しかし、ロープ３はそれぞれの転回用ローラ６に巻回されるから相互干渉はなく、張力の調整も負担の少ないものとなる。このようにして敷設が完了すると、図４のように地山の表層近くのすべり層上部１２は完全ではないが、リング状プレート４によって俯角４５度押圧力到達域境界である二点鎖線１３より下のすべり層下部１４では全域が押圧力の作用した状態におかれ、地すべりが発生する以前の段階において地山の崩壊が効果的に防護される（図９の（ａ）も参照）。
【００４０】
敷設後の経年で表層が風化して山肌が痩せるなどすると、図９（ａ）の状態から（ｂ）のように表層が沈む。その低下は図の中央部のごとく局部的であっても、その部分１ａに位置するロープ３の緊張は図９の（ｃ）のリング状プレート４Ｍの近傍のように緩むことになる。しかし、張力保持具９は弱まった張力に打ち勝つ弾発力があるため、図９の（ｅ）に示すように、その弦長を緩み量ΔＬだけ縮め、弦高をΔＨだけ増やしてその湾曲度を増大させる。地すべり防護工は図９の（ｄ）のようにロープ３が手繰り寄せられることになり、張りを回復して緩みが除去される。張力はやや低下するが、ロープ３は自由状態に置かれることがないから、地山の押圧作用は依然として持続される。
【００４１】
風化の進行は避けられないが、三角形の一ユニットごとに張力調整が自ずとなされるから、風化のない箇所のロープに影響を与えることもない。したがって、風化のない部所においては、当初の押圧力が維持される。支圧板はリング状プレートであるから各三角形状ロープが三分の一を負担し、略１２０度間隔で作用する支圧がその部位で際立って落ちるということはない。地すべりの発生初期にあってはローラ支持金具を介して連繋するリング状プレートがすべりを抑えるように作用する一方で、張力保持具は過度なすべりに遭遇するとロープを繰り出すように挙動するから、土石がロックボルトアンカーやリング状プレートから剥離して、表層が突然に崩れ落ちるということは抑えられる。
【００４２】
いずれかのリング状プレートの変位を別途検出しておくことができるようにするなら、宅地の近くでの斜面にあってはその僅かな変位を知り、崩れ落ちるまで地すべり防護工が時間稼ぎしている間に避難することができる。以上の説明から分かるように、各転回用ローラにおいては張力減衰がなく摩擦軽減の図られたロープ巻回が実現され、ロープへの張力付与操作が軽減されかつ所定張力の維持性能も向上する。転回用ローラが略１２０度間隔で配置されるから、各ローラがロープを牽引する程度に差があったとしても、他のローラに巻回されるロープがリング状プレートの押圧作用を補完することができ、安定した地山押さえ作用の維持が果たされる。転回用ローラに一本のロープを巻回させて最短経路をたどるようにロープを三角形状に配置するようにしているのでロープの短小化が可能となり、ターンバックルによる張力付与が極めて容易かつ所定値に保ちやすくなる。
【００４３】
三角形ループの形成は、ループを単位にして工域を拡げることができるので、工域の爾後的な拡大も容易に図られる。その三角形ループにおいてロープがリング状プレート間で重畳することはないので、すなわち二重懸架となる部位がないから、ロープを過剰使用することもない。
【００４４】
ロープの中間部に張力保持具を介在させておくから、表層が風化して山肌が痩せてきても、それによって生じるロープの緩みは張力保持具によって吸収され、ロープの緊張が保たれる。地すべりが発生する以前の状態における地山の押圧状態が維持され、地すべりが発生し始めたとしても、ロープは緊張を保っているから地すべりが抑制され、ロックボルトアンカーが地山の安定層に固定されているかぎりは、表層の崩れも可及的に少なく、また遅らせることができる。なお、局部的な地すべりがあっても、すべり阻止作用を相互補完したりする相乗効果が発揮されることは見逃せない。これは、三角形ループを一ユニットとして、地山表面に多数のユニットが隣接ユニット間で一つのリング状プレートを共押しするように敷設されるからにほかならない。
【００４５】
上記した張力保持具は弦長を常時縮小する方向に弾発力を発生する弓形に曲げられたものであるが、図１０に示すように、波長を常時縮小する方向に弾発力を発生する波形に曲げられた鋼棒９Ｂを使用することもできる。図１０の（ａ）と（ｂ）を比べれば分かるように、波形が多ければそれだけロープの緩みを吸収する容量が大きく、またロープの繰り出し量も大きくなることは言うまでもない。
【００４６】
図１１は張力保持具９を平鋼板９Ｃとしたものである。その平鋼板は曲げられて、それ自体が図１２の（ａ），（ｂ）のような構成とされる。前者は正面図、後者は底面図である。固縛部はその平鋼板の背面側に載せたロープを押圧するＵボルト１５である。こうしておけば、ロープを平鋼板の背面側に沿わせた状態でのＵボルト掛けとなるから、平鋼板への固定は簡単となる。張力を付与した時点での平鋼板の変形の観察や確認は一目瞭然であるから、これまた固縛作業や張力付与作業の迅速化が図られる。それとともに、張力設定の厳格化も可能となる。なお、図１２の（ｃ）のように、曲がり板９Ｃを組み合わせれば、先の図１０の場合と同じく吸収容量を大きく、またロープの繰り出し量も大きくすることができる。
【００４７】
図１３の（ａ）はリング状プレート４Ｓを六分割リング片としたもので、リング片相互がプラスチックベルト１６等によって直接的もしくは間接的に連結され、図１４に示すように各略六分の一領域部分を形成して隣りあうリング片４ｃのそれぞれが、転回用ローラ６に巻回されてから地表に現れるロープ３によって押さえられる。したがって、一つのリング状プレート４Ｓにおいて部分的な下地の痩せに違いがあっても、図１３の（ｂ）のように、略六分の一領域の単位でリング片４ｃを抑えるロープ張力を自然調整することになる。リング状プレートは表層部位ごとにきめ細かく支圧するから、他のリング状プレートでの押圧力に比べて著しい差が生じることも可及的に少なくなる。
【００４８】
以上は図５の（ａ）のごとく張力保持具９が介在されている場合を例にして述べた。しかし、図５の（ｂ）のように張力保持具９が介装されない三角形ロープユニット１０Ａとすることもできる。その場合、張力保持具による効果は発揮されないが、その他の効果は依然として同様に生じることは言うまでもない。すなわち、地すべりが起こり始めたときの表層崩れに対してロープがリング状プレートを連繋させたままとなる結果、突然の総崩れ的な地すべりを遅らせることができることに変わりがない。ちなみに、転回用ローラに掛けることができる緊張維持材はロープとしているが、それはワイヤロープであってもよいし、耐候性の優れたプラスチック製ロープといったようなものでもよいことは述べるまでもない。
【符号の説明】
【００４９】
１…地すべり防護工、２…ロックボルトアンカー、３…ロープ、３Ａ，３Ｂ，３Ｃ…三角形状ロープ、４，４Ａ，４Ｂ，４Ｃ，４Ｍ…リング状プレート（支圧板）、４Ｓ…六分割型リング状プレート、４ｃ…リング片、５…窪み、５ａ…略逆円錐面、５ｃ…法線、６，６Ａ…転回用ローラ、６ａ…軸、７…ローラ支持金具、８…ターンバックル、９…張力保持具、９ａ…固縛部、９Ａ，９Ｂ…鋼棒、９Ｃ…平鋼板（曲がり板）、１０，１０Ａ…一ユニット、１５…Ｕボルト、Ｓ…領域。
【図１】
0005571536.tif 000002
【図２】
0005571536.tif 000003
【図３】
0005571536.tif 000004
【図４】
0005571536.tif 000005
【図５】
0005571536.tif 000006
【図６】
0005571536.tif 000007
【図７】
0005571536.tif 000008
【図８】
0005571536.tif 000009
【図９】
0005571536.tif 000010
【図１０】
0005571536.tif 000011
【図１１】
0005571536.tif 000012
【図１２】
0005571536.tif 000013
【図１３】
0005571536.tif 000014
【図１４】
0005571536.tif 000015
【図１５】
0005571536.tif 000016
【図１６】
0005571536.tif 000017